(57)【要約】【課題】サッシのレール溝など狭い場所に溜まったり、こびりついたゴミを、早く、楽に、きれいに、またゴミを飛散させずに除去することを可能にした電気掃除機用吸込具及びその吸込具を備えた電気掃除機を提供する。【解決手段】電気掃除機の吸引パイプ先端に取り付けられる電気掃除機用吸込具において、一端側に前記吸引パイプに着脱自在に取り付けるための継手５を有し、他端側にはゴミの吸込口２を有する吸込具本体と、台座８及び台座８に植毛された複数の毛束９を備え、吸込口の正面に配設されたブラシ３と、吸込具本体１の内部に収納され、ブラシ３を振動させるための振動源となる電動機４と、電動機４の出力をブラシ３に伝達するためのアーム７とを備える。【選択図】図１
2010131105.tif 000002
【特許請求の範囲】
【請求項１】
電気掃除機の吸引パイプ先端に取り付けられる電気掃除機用吸込具において、
一端側に前記吸引パイプに着脱自在に取り付けるための継手を有し、他端側にはゴミの吸込口を有する吸込具本体と、
台座及び該台座に植毛された複数の毛束を備え、前記吸込口の正面に配設されたブラシと、
前記吸込具本体の内部に収納され、前記ブラシを振動させるための振動源となる電動機と、
前記電動機の出力を前記ブラシに伝達するためのアームと
を備えたことを特徴とする電気掃除機用吸込具。
【請求項２】
前記台座は、断面が略直方体であり、上面を除く長手方向の三面及び先端面に前記毛束が植毛されていることを特徴とする請求項１に記載の電気掃除機用吸込具。
【請求項３】
前記毛束は、前記台座の面に対して放射状に植毛されていることを特徴とする請求項２に記載の電気掃除機用吸込具。
【請求項４】
前記毛束は、前記台座の面に対して放射状に植毛されるとともに、前記毛束の毛先で形成される仮想面が前記台座の面に平行な平面になるように、前記台座の面の中央部に位置する毛束の長さより端部に位置する毛束の長さを長くしたことを特徴とする請求項３に記載の電気掃除機用吸込具。
【請求項５】
前記毛束は、前記台座の面に対して放射状に植毛されるとともに、面の中央部に位置する毛束よりも端部に位置する毛束の剛性を高くしたことを特徴とする請求項３に記載の電気掃除機用吸込具。
【請求項６】
前記アームは、前記電動機側と前記ブラシ側とに分離可能になっていることを特徴とする請求項１〜５の何れかに記載の電気掃除機用吸込具。
【請求項７】
前記電動機は、前記吸込具本体の下部に収納されていることを特徴とする請求項１〜６の何れかに記載の電気掃除機用吸込具。
【請求項８】
前記吸込具本体の内部に、前記電動機の駆動源となる充電式電池を収納していることを特徴とする請求項１〜７の何れかに記載の電気掃除機用吸込具。
【請求項９】
吸引パイプと、
前記吸引パイプの先端に取り付けられる、請求項１〜請求項８の何れかに記載の電気掃除機用吸込具と
を備えたことを特徴とする電気掃除機。
【発明の詳細な説明】
【技術分野】
【０００１】
本発明は、サッシのレール溝など狭い場所に溜まったり、こびりついたゴミや汚れを掻き落とし、落とすと同時に吸引して除去する機能を有する電気掃除機用吸込具及びその吸込具を備えた電気掃除機に関するものである。
【背景技術】
【０００２】
従来、サッシのレール溝などに溜まったゴミや汚れは手作業により歯ブラシで掻き落としたり、割箸や竹串でこそぎ落とした後、電気掃除機の先細のすきまノズルで吸引して除去するか、先端にブラシを備えたすきまノズルを手動で動かすことにより、ゴミを掻き落として吸引していた（例えば、特許文献１）。或いは、電気掃除機によらず、湿らせた雑巾などで拭き取ったりしていた。
【０００３】
【特許文献１】特開平１０−１１８５９２号公報（図１参照）
【発明の開示】
【発明が解決しようとする課題】
【０００４】
しかしながら、手作業では機械力としては小さく、清掃面にこびりついたゴミや汚れは十分には引き剥がすことができずにいた。そのため硬めのブラシやヘラなどを使って無理にこそぎ落とそうとして、固い砂などで清掃面を引っ掻いて疵つけることがあった。一度、疵がつくと汚れが再び付着した場合には、ますます引き剥がしにくくなる。またブラシやヘラで力を入れ過ぎると、引き剥がされたゴミが周囲に飛散してしまう。ブラシ付きすきまノズルでは、ブラシが柔らかすぎて、やはり清掃面にこびりついたゴミや汚れを清掃面から引き剥がすことは難しかった。
以上、これら一連の作業は手間がかかるうえ、屈んで行うこともあり、根気のいる重労働であった。さらには重労働であるがゆえに掃除を怠りがちになり、ゴミや汚れが堆積して除去しにくくなっていた。
【０００５】
本発明は、上記の課題を解決するためになされたものであり、サッシのレール溝など狭い場所に溜まったり、こびりついたゴミを、早く、楽に、きれいに、またゴミを飛散させずに除去することを可能にした電気掃除機用吸込具及びその吸込具を備えた電気掃除機を提供することを目的とするものである。
【課題を解決するための手段】
【０００６】
本発明に係る電気掃除機用吸込具は、電気掃除機の吸引パイプ先端に取り付けられる電気掃除機用吸込具において、一端側に前記吸引パイプに着脱自在に取り付けるための継手を有し、他端側にはゴミの吸込口を有する吸込具本体と、台座及び該台座に植毛された複数の毛束を備え、前記吸込口の正面に配設されたブラシと、前記吸込具本体の内部に収納され、前記ブラシを振動させるための振動源となる電動機と、前記電動機の出力を前記ブラシに伝達するためのアームとを備えたものである。
【発明の効果】
【０００７】
本発明に係る電気掃除機用吸込具は、電気掃除機の吸引パイプ先端に取り付けられる吸込具において、上記の構成からなる吸込具本体、ブラシ、電動機及びアームを備え、ブラシが振動するので、サッシのレール溝など狭い場所に溜まったり、こびりついたゴミや汚れを早く、楽に、きれいに、またゴミを飛散させずに効率的に除去することが可能になっている。
【発明を実施するための最良の形態】
【０００８】
実施の形態１．
図１は、本実施の形態１に係る電気掃除機用吸込具の側面図を示すものである。
図１の電気掃除機用吸込具は、吸込具本体１を備えており、吸込具本体１はその一端側には吸引パイプに着脱自在に取り付けるための継手５と、他端側にはゴミの吸込口２とを有する。電気掃除機用吸込具は、更に、吸込具本体１の吸込口２の正面に近接して配設され、台座８と毛束９からなるブラシ３と、ブラシ３を振動させるために、吸込具本体１の内部に収納された電動機４と、電動機４を動かすために電気掃除機本体から電力を供給する経路である電極６と、電動機４と電極６をつなぐ配線１５と、電動機４の出力をブラシ３に伝達するためのアーム７とを備えている。
【０００９】
また、吸込具本体１は、継手５を介して吸引パイプに突き合わせて連結する円筒部１aと、円筒部１aから徐々に略長方形状に細く絞り込んだノズル部１bとからなり、円筒部１aはその下部に電動機４を収納する収納部１cを備えており、電動機４は収納部１cに収納されている。この収納部１cは、仕切板１６によって円筒部１aの上側とは仕切られており、吸込具本体１に形成される風路から分離されている。
また、電動機４の回転軸には例えば偏心した状態で錘（図示せず）が取り付けられており、アーム７は電動機４とブラシ３とを接続するようにして配置されており、電動機４の回転軸が回転すると振動が発生し、その振動がアーム７を介してブラシ３に伝達される。
【００１０】
次に、本実施の形態１による動作について説明する。
本実施の形態１において、掃除機本体の操作部に設けられたスイッチ（図示せず）を押すと、電極６と配線１５を通して電力が電動機４に供給されると、電動機４が作動し始め、電動機４が例えば高周波の振動を発生すると、その振動がアーム７を介してブラシ３に伝達され、ブラシ３は高周波で細かく振動する。ここで、ブラシ３をサッシのレール溝など狭い清掃面に軽く押し当てると、ブラシ３の振動による摩擦力が清掃面にこびりついたゴミに作用して、ゴミは引き剥がされ、引き剥がされるのと同時に、吸込口２に吸引され、吸引パイプを通って電気掃除機本体内の集塵室（図示せず）に捕集される。
【００１１】
以上のように、本実施の形態１による電気掃除機用吸込具は、ブラシ３を清掃面に軽く押し当てて高周波で細かく振動させて、こびりついたゴミや汚れを叩いて細かく砕いたり、摩擦力で引き剥がしてそのまま吸込口２から吸引して吸い出すため、清掃面を疵つけることなく、引き剥がしたゴミや汚れを飛散させずに除去することができる。そして、清掃面を疵つけないため、汚れの再付着も少ない。またゴミの引き剥がしを電動で行えるため、従来の手作業に比べて非常に楽に、短時間で掃除することができる。
【００１２】
また、電動機４は、吸込具本体１の下部に形成された収納部１ｃに収納され、その先端部からアーム７を延ばしてブラシ３に連結しており、吸込具本体１の他の場所に収納するよりもアーム７の長さは最短となるため、ブラシ３に力が作用したとき、例えばアーム７と電動機４の結合部など強度的に弱い部位に過大な負荷がかからなくて済み、小型化が可能である。
【００１３】
また、電動機４は、仕切板１６により吸込具本体１に形成される風路から分離されているため、吸込口２より吸引されたゴミや埃などが電動機４に付着したりしないため、清潔に保つことができ、また、例えば埃への引火を防ぐことができ、安全である。なお、上記の仕切板１６は、電動機４を風路から分離する形態であれば良く、その形態は特に限定されない。
【００１４】
実施の形態２．
上記の実施の形態１では台座８の下面にのみ毛束が植毛されている例を説明したが、台座８の他の面にも毛束を植毛して同時に４面を掃除できるようにした例を実施の形態２として説明する。
【００１５】
図２は、本実施の形態２に係る電気掃除機用吸込具のブラシ先端面から見た図を示すものである。図２において、ブラシ３は、台座８の下面に植毛された毛束９aと、両側面に植毛された毛束９b及び９cと、先端面に植毛された毛束９ｄとを備えている。
【００１６】
次に、本実施の形態２による動作について説明する。
本実施の形態２において、ブラシ３の台座８は断面が略直方体形状であり、その下面と両側面にそれぞれ毛束９a、９b、９cが植毛されているため、溝の３面を同時に掃除することができる。またレール端部を掃除する際には、ブラシ３の先端面に植毛された毛束９dをレール端部側に押し当てることにより、同時に４面を掃除することができ、さらに短時間で掃除することができる。
【００１７】
以上のように、本実施の形態２による電気掃除機用吸込具は、ブラシ３の台座８の下面、両側面及び先端面の４面に毛束９ａ〜９ｄを備えているため、サッシのレール溝などを掃除する際に、複数の清掃面のゴミや汚れを同時に引き剥がし、除去できるため、実施の形態１に比べてさらに短時間で掃除することができる。
【００１８】
実施の形態３．
上記の実施の形態２では、毛束が台座８の面に対して垂直に植毛されている例を説明したが、サッシのレール溝などの隅にまで毛先が届くように毛束を植毛した例を実施の形態３として説明する。
【００１９】
図３は、本実施の形態３に係る電気掃除機用吸込具のブラシ先端面から見た図を示すものである。図３において、ブラシ３は台座８の下面に放射状に広がって植毛された毛束９aと、両側面に放射状に広がって植毛された毛束９b及び９cと、先端面に放射状に広がって植毛された毛束９d（図示せず）を備えている。
【００２０】
次に、本実施の形態３による動作について説明する。
本実施の形態３において、ブラシ３の台座８は断面が略直方体形状であり、その下面と両側面にそれぞれ毛束９a、９b、９cが放射状に広がって植毛されているため、溝の３面を同時に掃除することができ、かつレール溝の隅にまで毛先が届き、隅に付着したゴミや汚れを掻き出すことができる。またレール端部を掃除する際には、ブラシ３の先端面に放射状に広がって植毛された毛束９dの毛先が端部の隅にまで届いて、隅に付着したゴミや汚れを掻き出しながら同時に４面を掃除することができ、ゴミや汚れがつきやすく、取れにくい隅々まできれいに掃除することができる。
【００２１】
以上のように、本実施の形態３による電気掃除機用吸込具は、ブラシ３の台座８の下面、両側面及び先端面の４面に放射状に広がって毛束９ａ〜９ｄが植毛されているため、サッシのレール溝などを掃除する際に、複数の清掃面の隅々までゴミや汚れを掻き出して除去できるため、実施の形態２に比べて、隅々まできれいに掃除することができる。
【００２２】
実施の形態４．
上記の実施の形態３では、毛束が台座８の４面に放射状に広がって毛束が植毛され、サッシのレール溝などの隅にまで毛先を届きやすくした例について説明したが、更に、隅にまで確実に毛先を届かせたり、掻き出す力を高めてゴミや汚れを掻き出す機能を高めた例を実施の形態４として説明する。
【００２３】
図４は、本実施の形態４に係る電気掃除機用吸込具のブラシ先端面から見た図を示すものである。図４において、ブラシ３は台座８の下面に放射状に広がって植毛された毛束９aと、両側面に放射状に広がって植毛された毛束９b及び９cと、先端面に放射状に広がって植毛された毛束９d（図示せず）を備えている。毛束９a、９b、９c及び９dのそれぞれの毛先で形成される仮想面１０a、１０b、１０c及び１０d（１０dは図示せず）は、前記台座の面に平行な平面になるように、台座８の面の中央部に位置する毛束の長さより端部に位置する毛束の長さを長くしている。また、各面の中央部に位置する毛束１１d、１２d、１３d及び１４d（１４dは図示せず）よりも端部に位置する毛束１１e、１１f、１２e、１２f、１３e、１３f及び１４e、１４f（１４e、１４fは図示せず）の剛性を高くしている。
【００２４】
次に、本実施の形態４による動作について説明する。
本実施の形態４において、ブラシ３の台座８は断面が略直方体形状であり、その下面と両側面にそれぞれ毛束９a、９b、９cが放射状に広がって植毛されている。またそれぞれの毛束の毛先で形成される仮想面は、台座８の面に平行な平面になるように、台座８の面の中央部に位置する毛束の長さより端部に位置する毛束の長さを長くしている。したがって溝の３面を同時に掃除することができ、かつレール溝の隅にまで確実に毛先が届き、隅に付着したゴミや汚れを掻き出すことができる。またレール端部を掃除する際には、ブラシ３の先端面に放射状に広がって植毛された毛束９d（図示せず）の毛先が、確実に端部の隅にまで届いて、隅に付着したゴミや汚れを掻き出しながら同時に４面を掃除することができ、ゴミや汚れがつきやすく、取れにくい隅々まできれいに掃除することができる。
【００２５】
更に、本実施の形態４においては、面の中央部に位置する毛束よりも端部に位置する毛束の剛性を高くしている。剛性を高くする方法として素材を変えてもよいし、毛の径を大きくしてもよい。また剛性は大小二種類でもよいし、それ以上に分けてもよい。端部に位置する毛束の剛性を高くすることにより、隅のゴミや汚れを掻き出す力が大きくなるため、吸込具を清掃面に強く押し付けることなく、軽く押し当てるだけで、隅々まできれいに掃除することができる。また疲労劣化しやすい中央部の毛束と、端部の毛束の耐用期間を均等化することができる。
【００２６】
以上のように、本実施の形態４による電気掃除機用吸込具は、ブラシ３の台座８の下面、両側面及び先端面の４面に放射状に広がって毛束が植毛され、かつ中央部に位置する毛束の長さより端部に位置する毛束の長さを長くして、毛束の毛先で形成される仮想面を、台座の面に対して平行な平面としているため、サッシのレール溝などを掃除する際に、複数の清掃面の隅々まで確実に毛先を届かせ、ゴミや汚れを掻き出して除去できる。また台座８の面の端部に位置する毛束の剛性を高くすることにより、隅のゴミや汚れを掻き出す力を大きくすることができるため、上記の実施の形態３に比べて、吸込具を清掃面に軽く押し当てるだけで、さらに隅々まできれいに掃除することができる。また疲労劣化しやすい中央部の毛束と、端部の毛束の耐用期間を均等化することができる。
【００２７】
実施の形態５．  
次に、上記の実施の形態１の電気掃除機用吸込具の変形例を実施の形態５として説明する。
図５は、本実施の形態１に係る電気掃除機用吸込具の側面図を示すものであり、以下の説明においては図１との相違点を中心に説明する。
電動機４の振動をブラシ３に伝達するためのアーム７は、例えば２個のアーム部材から構成されており、その端部にそれぞれ係合部７ａ、７ｂを設け、更に、係合部７ａ、７ｂに貫通孔を設けてボルト等の固定部材７ｃにより両部材を固定している。また、吸込具本体１の内部、例えば収納部１ｃには充電式電池１２が収納されている。充電式電池１２は電極６からの電力により充電され、電動機４を動かすための駆動電源となる。
【００２８】
以上のように、本実施の形態５による電気掃除機用吸込具は、アーム７は電動機４側とブラシ３側とに分離可能に構成されており、ブラシ３の種類をいくつか用意しておき、清掃面の形状や汚れのこびりつき具合に応じて、適切なブラシ３を選択することができる。またブラシ３が壊れたり、長期間の使用により疲労劣化した場合に、新品のブラシ３と交換することができる。ブラシ３が不要な清掃面や、ブラシ３で疵つくような清掃面を掃除する際には、ブラシを外すことにより、吸引だけの掃除も可能である。なお、アーム７は、上記の形態に代えて、電動機４に対して着脱自在に取り付けるようにしても、同様な効果が得られる。
【００２９】
また、吸込具本体１の内部に、電動機４を動かすための充電式電池１２を収納しており、掃除機本体を稼動させなくても吸込具本体１だけを手に持ってブラシ３に振動を与えながらゴミや汚れを掻き出すことができるため、非常に軽く、小回りがきいて便利である。
【００３０】
実施の形態６．
上記の実施の形態１〜５の電気掃除機用吸込具を接続した電気掃除機を実施の形態６として説明する。
図６は、本実施の形態６に係る電気掃除機の斜視図である。
電気掃除機本体２１の内部には、電動送風機、電力制御基板、コードリール等（図示せず）が内蔵されている。また、電気掃除機本体２１の内部の前面側には電動送風機によって吸引された塵埃を集積するための集塵室（図示せず）が設けられている。電気掃除機本体１の前面にはホース２２が接続されており、ホース２２の他端には取手部２３、パイプ２４及びパイプ２５が接続されている。取手部２３には電気掃除機を使用するときに使用者が握るための取手が設けられ、取手部２３の表面には電気掃除機本体２１内部の電動送風機の回転の強弱を切り替えるための操作部２３ａが設けられている。パイプ２５の先端には電気掃除機用吸込具２０が着脱自在に接続されている。電気掃除機用吸込具２０は、上記の実施の形態１〜５の電気掃除機用吸込具から構成されている。上記のように、電気掃除機用吸込具は電動機４を内蔵しており、電動機４に電力を供給するためにホース２２、取手部２３、パイプ２４及びパイプ２５に電線（図示せず）が配設されており、電動機４に供給する電力は操作部２３ａを操作することによって制御できるようになっている。
【００３１】
以上のように、本実施の形態６に係る電気掃除機は、上記の実施の形態１〜５の電気掃除機用吸込具を備えており、ブラシ３を清掃面に軽く押し当てて高周波で細かく振動させて、こびりついたゴミや汚れを叩いて細かく砕いたり、摩擦力で引き剥がしてそのまま吸込口２から吸引して吸い出すため、清掃面を疵つけることなく、引き剥がしたゴミや汚れを飛散させずに除去することができる。清掃面を疵つけないため、汚れの再付着も少ない。またゴミの引き剥がしを電動で行えるため、従来の手作業に比べて非常に楽に、短時間で掃除することができる。
【図面の簡単な説明】
【００３２】
【図１】本実施の形態１に係る電気掃除機用吸込具の側面図である。
【図２】本実施の形態２に係る電気掃除機用吸込具のブラシ先端面から見た図である。
【図３】本実施の形態３に係る電気掃除機用吸込具のブラシ先端面から見た図である。
【図４】本実施の形態４に係る電気掃除機用吸込具のブラシ先端面から見た図である。
【図５】本実施の形態５に係る電気掃除機用吸込具の側面図である。
【図６】本実施の形態６に係る電気掃除機の斜視図である。
【符号の説明】
【００３３】
１  吸込具本体、１ａ  円筒部、１ｂ  ノズル、１ｃ  収納部、２  吸込口、３  ブラシ、４  電動機、５  継手、６  電極、７  アーム、８  台座、９、９ａ〜９ｄ  毛束、１０ａ〜１０ｄ  仮想線、１１ｄ〜１１ｆ  下面の毛束、１２ｄ〜１２ｆ  側面の毛束、１３ｄ〜１３ｆ  側面の毛束、１５  配線  １６  仕切板。
【図１】
2010131105.tif 000003
【図２】
2010131105.tif 000004
【図３】
2010131105.tif 000005
【図４】
2010131105.tif 000006
【図５】
2010131105.tif 000007
【図６】
2010131105.tif 000008